(57)【要約】【課題】  密閉式テントを用いることなく、かつ汚染土壌からの粉じんの飛散を防止して掘削回収可能であって、作業の安全性の向上した汚染土壌の掘削回収方法を提供する。【解決手段】  汚染土壌に吸着剤を混合した水を散布し、該汚染土壌を湿潤状態とした後、この汚染土壌を掘削回収することを特徴とする汚染土壌の掘削回収方法である。【選択図】        図１
2006075799.tif 000002
【特許請求の範囲】
【請求項１】
汚染土壌に吸着剤を混合した水を散布し、該汚染土壌を湿潤状態とした後、この汚染土壌を掘削回収することを特徴とする汚染土壌の掘削回収方法。
【請求項２】
前記汚染土壌を掘削回収する際、前記吸着剤を混合した水を、さらに前記汚染土壌に散布しながら掘削回収する請求項１に記載の汚染土壌の掘削回収方法。
【請求項３】
前記吸着剤が、活性炭、リグニン酸、フミン酸、及びカルボキシメチルセルロースからなる群から選ばれる少なくとも１種以上である請求項１又は２に記載の汚染土壌の掘削回収方法。
【発明の詳細な説明】
【技術分野】
【０００１】
本発明は、汚染土壌の掘削回収方法に関するものであり、特に、有害物質を含有する汚染土壌を浄化する際に、該汚染土壌を浄化装置に送るために掘削・回収する方法に関するものである。
【背景技術】
【０００２】
従来より、汚染土壌の掘削・回収にあたっては、一般的に、バックホー等の重機を使用するが、ほこりや有害ガス、悪臭の発生があるため、作業範囲を密閉式テントで覆い、そのなかで防護服を着用して作業する方法等が提案されている（例えば、特許文献１参照）。
【０００３】
また、乾燥している土壌を掘削する場合は、ほこりが舞い上がるため、散水するのが一般的である。
【特許文献１】特開平６−３０５５０３号公報
【発明の開示】
【発明が解決しようとする課題】
【０００４】
しかしながら、特許文献１に係る汚染物処理方法にあっては、防護服を着用して作業するため、作業性が悪く、かつ作業環境上、作業時間を短縮したり、休憩頻度を増やしたりする等の対策が必要であるという問題があった。
また、作業の安全性確認や周辺への粉じん・有害物質を含んだガスの飛散防止対策等、環境モニタリングや有害物質の監視に多大な費用を必要とする問題もあった。
【０００５】
また、土壌に散水して掘削回収する方法は、一般的ではあるが、有害物質を含有する汚染土壌に対しては、環境保全対策として十分ではなかった。
【０００６】
特に、ダイオキシン類で汚染された土壌の掘削や有害物質を含んだガスの飛散がある場合には、掘削回収作業の安全性と掘削後の処理を効率的に行うため、特許文献１に係るような密閉式テント内で、防護服を着用して掘削を行い、散水は補助的に行うのが現状である。
【０００７】
本発明は、上記従来技術の問題点に鑑み、密閉式テントを用いることなく、かつ汚染土壌からの粉じんの飛散を防止して掘削回収可能であって、作業の安全性の向上した汚染土壌の掘削回収方法を提供することを目的とする。
【課題を解決するための手段】
【０００８】
かかる課題を解決するため、
請求項１にかかる発明は、汚染土壌に吸着剤を混合した水を散布し、該汚染土壌を湿潤状態とした後、この汚染土壌を掘削回収することを特徴とする汚染土壌の掘削回収方法である。
【０００９】
請求項２にかかる発明は、前記汚染土壌を掘削回収する際、前記吸着剤を混合した水を、さらに前記汚染土壌に散布しながら掘削回収する請求項１に記載の汚染土壌の掘削回収方法である。
【００１０】
請求項３にかかる発明は、前記吸着剤が、活性炭、リグニン酸、フミン酸、及びカルボキシメチルセルロースからなる群から選ばれる少なくとも１種以上である請求項１又は２に記載の汚染土壌の掘削回収方法である。
【発明の効果】
【００１１】
本発明の汚染土壌の掘削回収方法によれば、汚染土壌に吸着剤を混合した水を散布し、該汚染土壌を湿潤状態とした後、掘削回収することにより、密閉式テントを用いることなく、かつ汚染土壌からの粉じんの飛散を防止して掘削回収を行うことができる。また、土壌掘削時に発生する有害ガスや悪臭を吸着剤に吸着することにより、作業の安全性を向上させることができる。
【発明を実施するための最良の形態】
【００１２】
以下、本発明の汚染土壌の掘削回収方法の実施形態について、詳細に説明する。
【００１３】
図１は、本発明の汚染土壌の掘削回収方法の一実施形態を示す模式図である。本発明の汚染土壌の掘削回収方法は、汚染土壌２に、吸着剤を混合した水を散布し、該汚染土壌２を湿潤状態とした後、この汚染土壌２を重機１等で掘削回収するものである。
【００１４】
対象となる汚染土壌は、有害物質を含有するものであり、このような有害物質としては、ダイオキシン類、第一種特定有害物質にあたる有機化合物、第二種特定有害物質にあたる重金属、悪臭等が挙げられる。なお、ダイオキシン類対策特別措置法においては、ポリ塩化ジベンゾ−パラ−ジオキシン（ＰＣＤＤ）及びポリ塩化ジベンゾフラン（ＰＣＤＦ）にコプラナーポリ塩化ビフェニル（コプラナーＰＣＢ）を含めて、“ダイオキシン類”と定義している。ＰＣＤＤは７５種類、ＰＣＤＦは１３５種類、コプラナーＰＣＢは十数種類の異性体があるが、これらのうち毒性があるとみなされているのは２９種類である。
また、第一種特定有害物質にあたる有機化合物としては、揮発性有機化合物が挙げられ、例えば、四塩化炭素、１，２−ジクロロエタン、１，１−ジクロロエチレン、シス−１，２−ジクロロエチレン、１，３−ジクロロプロペン、ジクロロメタン、トリクロロエチレン、１，１，１−トリクロロエタン、１，１，２−トリクロロエタン、テトラクロロエチレン、ベンゼンが挙げられる。
また、第二種特定有害物質にあたる重金属としては、カドミウム及びその化合物、六価クロム化合物、シアン化合物、水銀及びその化合物、セレン及びその化合物、鉛及びその化合物、砒素及びその化合物、ふっ素及びその化合物、ほう素及びその化合物が挙げられる。
また、悪臭としては、メルカプタン、硫化水素等、悪臭防止法に掲げられている物質が挙げられる。
【００１５】
また、対象となる土壌は、砂分を７０％以上含有することが好ましい。砂分が７０％未満であると、シルト、粘土等が多くなり、この汚染土壌を浄化するコストメリットがほとんどないからである。
【００１６】
この汚染土壌は、農業用地、工業用地、市街地、住宅地等のすべての土地の土壌である。有害物質により人工的に高濃度に汚染された工場跡地のような土壌であっても構わないし、自然汚染の農地のような土壌であってもよい。
【００１７】
まずこの汚染土壌に、吸着剤を混合した水を散布する。この吸着剤には、汚染物質の種類・濃度等に応じて有効な吸着剤を選定する。また、複合汚染土壌に対しては、汚染該当成分に応じて、この吸着剤を数種類を組合わせて使用する。そのなかでも、吸着剤としては、活性炭、リグニン酸、フミン酸、及びカルボキシメチルセルロースからなる群から選ばれる少なくとも１種以上であるのが好ましい。
また、吸着剤の水への添加量は、汚染土壌中の汚染該当物質の種類・濃度によって変化するが、一般的には、０．１〜５０質量％であるのが好ましい。
【００１８】
この吸着剤を混合した水を、好ましくは掘削以前、より好ましくは１〜３時間前に、掘削範囲の汚染土壌に散布し、該汚染土壌を湿潤状態にする。散布量は、土壌に対して２０質量％以下であるのが好ましい。散布方法は、吸着剤を混合した水を通常の方法で散布することができる。そのなかでも、図１に示すように、バックホー等の重機１に吸着剤と水を混合した溶液を入れるタンク３を設置し、このタンク３から重機１の掘削アッタチメント部までホースを配管して、その先端に噴霧器を設け、この噴霧器から汚染土壌２に向けて吸着剤を混合した水を散布するのが好ましい。噴霧器先端のノズルは、粒径１００μｍ程度の吸着剤粒子を散布することのできる大きさにするのが好ましい。
【００１９】
吸着剤を混合した水を散布して、汚染土壌を湿潤状態にすることにより、ほこり・粉じんの飛散を防止することができると共に、土壌中の有害ガスや悪臭、蒸発成分を吸着剤に吸着捕集することができ、作業の安全性を向上させることができる。
【００２０】
次いで、湿潤状態とした汚染土壌を掘削回収する。掘削回収には、バックホー等の重機を用いることができる。湿潤させる土壌深度は、表層面から地下水面近傍である。地下水面より深い土壌は、すでに湿っているため、吸着剤を混合した水を散布する必要はないからである。また、掘削深度は、汚染土壌の存在する深さによって異なる。また、この汚染土壌を掘削回収する際、吸着剤を混合した水を、さらに汚染土壌に散布しながら掘削回収するのが好ましい。この掘削回収した土壌は水を含んでおり、そのままこれをスラリー化混合槽等に送り、さらに水と添加剤等を添加して混合し、スラリー（泥水）としてから、汚染土壌の浄化工程に送り浄化処理を行うことができる。
【００２１】
本発明の掘削回収方法では、汚染土壌を湿潤状態にすることにより、ほこり・粉じんの飛散を防止することができるため、密閉式テントを用いる必要はないが、作業処理場の周辺に仮設の塀等の設備を設けるのが好ましい。また、この掘削回収方法では、汚染土壌を掘り起こしてから別の場所にある処分場、浄化処理施設等に移送する必要はなく、汚染土壌地内で浄化処理を行うのが好ましい。
【００２２】
また、本発明の掘削回収方法では、特殊な機械設備を使用することなく吸着剤と水とを混合した溶液を製造することができ、汚染土壌の状態（含水率や有害物質の種類・濃度等）によって、この溶液の散布量を調整できるため、あらゆる掘削状況にも対応することができる。また、安価な設備、材料で有害物質の拡散を防止でき、かつ作業の安全性を確保することができる。
【図面の簡単な説明】
【００２３】
【図１】本発明の汚染土壌の掘削回収方法の一実施形態を示す模式図である。
【符号の説明】
【００２４】
２  汚染土壌
【図１】
2006075799.tif 000003